(57)【要約】      （修正有）【課題】簡易な構造で、内容物の排出を行うためのフレキシブルコンテナバッグの破袋を確実に行う装置を提供する。【解決手段】基枠内に、所定の容積の筒体（筒本体２１）を回転自在に組み込むと共に、筒体を回転させる回転駆動部を付設し、筒体開口部（筒本体の下縁）より下方適宜位置に筒体開口部を閉塞しない構成とした袋支持部４を基枠から枝設し、筒体開口部の外周位置に開口部下方内側へ進出可能に設けた切断機構部５を配置してなる。【選択図】図２
2019059540.tif 000002
【特許請求の範囲】
【請求項１】
適宜な基枠内に、所定の容積の筒体を回転自在に組み込むと共に、筒体を回転させる回転駆動部を付設し、筒体開口部下方適宜位置に筒体開口部を閉塞しない構成とした袋支持部を基枠から枝設し、筒体開口部の外周位置に開口部下方内側へ進出可能に設けた切断機構部を配置してなるフレキシブルコンテナバッグの破袋装置
【請求項２】
基枠を支柱と横杆で構成すると共に、支柱上端に載置リング板を設け、筒体の上端に設けた鍔部を載置リング坂に、ローラ部を介して載置して基枠内に筒体を回転自在組み込み、基枠外周に設けた回転駆動部と筒体外周面とを回転伝達構造で連結してなる請求項１記載のフレキシブルコンテナバッグの破袋装置。
【請求項３】
支柱の適宜高さに基枠中心に向けて支持腕部を突設すると共に、支持腕部の交差部分の上面に、回転自在とした受板を設けて袋支持部とした請求項２記載のフレキシブルコンテナバッグの破袋装置
【請求項４】
切断機構部を、駆動モータを備えた回転刃体で構成してなる請求項１乃至３記載の何れかのフレキシブルコンテナバッグの破袋装置
【請求項５】
袋支持部下方に、筒体開口部の大きさに対応した基枠外への排出部を設けてなる請求項１乃至４記載の何れかのフレキシブルコンテナバッグの破袋装置
【発明の詳細な説明】
【技術分野】
【０００１】
本発明は、フレキシブルコンテナバッグ（以下単に「フレコン」という）に収納された廃棄物を袋外に取り出すための破袋装置に関するものである。
【背景技術】
【０００２】
フレコンは放射性廃棄物、一般廃棄物、産業廃棄物等の運搬・保管等に使用されており、収納物の取り出しに際しては、フレコンを破袋して内容物を取り出すようにしている。特に近年は放射性物質で汚染された土地の除染作業の際に、汚染土壌・草木・落葉落枝は一旦フレコンに収納し、所定の中間貯蔵施設まで運搬し、当該処分場で内容物の取出しのために破袋を行っている。
【０００３】
前記の破袋を実現する装置として、特許文献１には、ホッパ上部にリング状のフレコン台が設けられ、フレコン台外周に、切刃を上方へ向けて突設した回転体を備えた装置が開示されている。
【０００４】
また特許文献２には、フレコン載置板に、フレコンの底面中央部を含む開口部を形成すると共に、前記開口部に上下可動板を設け、開口部の外周縁に添って移動するレーザー切断部によって、フレコン載置台上のフレコン底部をレーザー切断し、可動板の下方移動で開口部を開口してフレコンの内容物を開口部から排出する装置が開示されている。
【０００５】
また特許文献３には、複数の可動床を備え、可動床が閉状態で所定の隙間（直線状の切断案内溝）が形成されて、切断手段を以て可動床上のフレコン底部を切断し、切断した後に可動床を開状態として、フレコンの内容物を自然落下させる破袋装置が開示されている。
【先行技術文献】
【特許文献】
【０００６】
【特許文献１】特開２００９−９６５４５号公報。
【特許文献２】特開２０１７−６５７９３号公報。
【特許文献３】特開２０１７−７１４３５号公報。
【発明の概要】
【発明が解決しようとする課題】
【０００７】
従前の破袋装置は、基本的にフレコンの底面を下方から切断する構成を採用しているので、切断後の内容物落下に際して、内容物が切断機構に降り注ぐことになってしまうので、切断機構保護のために部材や構造が必要となる。例えば切刃回転体（特許文献１）においては固定フレコン台との間に収納物の侵入を阻止する構造が必要であり、上下可動板（特許文献２）や可動床（特許文献３）を採用している場合には、フレコン内容物排出前（床移動の作動前）に切断機構の退避構造が必要となり、装置の複雑化が免れない。
【０００８】
また内容物収納状態のフレコンは底面が湾曲状態であり、平板状の載置面に載置したとしても、フレコン底面と周面の境界は湾曲状態であるために、フレコンを底面下方から切断したとしてもフレコン周面まで達しないので、切断底面と周面との間に内容物が存存する虞がある。
【０００９】
そこで本発明は、簡易な切断機構を備えフレコン内容物を確実に排出するフレキシブルコンテナバッグの破袋装置を提案したものである。
【課題を解決するための手段】
【００１０】
本発明の請求項１記載に係るフレキシブルコンテナバッグ（フレコン）の破袋装置は、適宜な基枠内に、所定の容積の筒体を回転自在に組み込むと共に、筒体を回転させる回転駆動部を付設し、筒体開口部下方適宜位置に筒体開口部を閉塞しない構成とした袋支持部を基枠から枝設し、筒体開口部の外周位置に開口部下方内側へ進出可能に設けた切断機構部を配置してなるものである。
【００１１】
而して内容物を収納したフレコンをクレーンで吊下げて筒体内に収納すると、フレコンの下方部分が筒体より露出して袋支持部に支えられると共に、筒体内周壁に自重で密着する。そこで筒体を回転させると当時に切断機構部の切断部分を中心方向に進出させると、フレコンの下方周面を切断する。切断が進行すると、内容物はその自重で筒体下方に落下することになり、空のフレコンはクレーで吊り上げ筒体外に排除する。
【００１２】
また本発明の請求項２記載に係るフレコンの破袋装置は、基枠を支柱と横杆で構成すると共に、支柱上端に載置リング板を設け、筒体の上端に設けた鍔部を載置リング板に、ローラ部を介して載置して基枠内に筒体を回転自在組み込み、基枠外周に設けた回転駆動部と筒体外周面とを回転伝達構造で連結してなるもので、基枠による筒体の回転保持構造が容易に形成される。
【００１３】
また本発明の請求項３記載に係るフレコンの破袋装置は、支柱の適宜高さかに基枠中心に向けて支持腕部を突設すると共に、支持腕部の交差部分の上面に、回転自在とした受板を設けて袋支持部としたもので、筒体内に納められたフレコンの底面が袋支持部上に載置され、筒体の回転に伴うフレコンの回転をスムーズに行えるようにし、且つ支持腕部間の空間が内容物の落下空間となる。
【００１４】
また本発明の請求項４記載に係るフレコンの破袋装置は、切断機構部を、駆動モータを備えた回転刃体で構成してなるもので、既存の電動工具を採用できると共に、切断刃体の消耗に対しても安価な既存部品を使用することができる。
【００１５】
また本発明の請求項５記載に係るフレコンの破袋装置は、袋支持部下方に、筒体開口部の大きさに対応した基枠外への排出部、例え搬出コンベア、排出スロープ等を設けてなるもので、フレコンから落下して内容物は速やかに基枠外に排出され、次の破袋作業の待機状態となる。
【発明の効果】
【００１６】
本発明の構成は上記のとおりで、フレコンを抱持状態で回転させて、フレコンの下方周面を切断するもので、底面切断のような複雑な切断部材の移動機構及び退避機構を必要とせず、簡易な機構でフレコンの切断を実現できたものである。
【図面の簡単な説明】
【００１７】
【図１】本発明の実施形態の全体の正面図。
【図２】同側面図（一部裁断）。
【図３】同切断平面図。
【図４】同使用時の一部下方斜視図で（イ）はフレコン収納前（ロ）は収納時を示す。
【図５】同作業工程の説明図。
【発明を実施するための形態】
【００１８】
次に本発明の実施形態について説明図する。実施形態に示したフレコン破袋装置は、内容物Ａを収納したフレコンＢの下方周面を切断する破袋装置で、基枠１と、基枠１に組み込んだ筒体２と、筒体２の回転駆動部３と、筒体２の開口下方に配置した袋支持部４と、フレコン切断を行う切断機構部５と、内容物Ａを装置外に排出する排出部６とを備えたものである。
【００１９】
基枠１は、支柱１１と前記支柱を連結する適宜数の横杆１２で構成してなり、支柱１１の上端に載置リング板１３を設けると共に、載置リング板１３上に適宜間隔で支持ローラ１４を設けてなる。更に下方の横杆１２には、下記する筒本体２１の下方周面をと当接する保持ローラ１５を設けてなる。
【００２０】
筒体２は、筒本体２１が下方を細径とした筒状体とし、筒本体２１の上縁に前記の載置リング板１３に対応する鍔部２２を設け、鍔部２２を支持ローラ１４上に載置して、基枠１内に回転自在に組み込んでなる。また上方外周面に下記する伝達ベルト（伝達部）３２のガイド部２３を設けてなる。
【００２１】
回転駆動部３は、筒本体２１を回転駆動するもので、駆動部３１と伝達部３２で構成され、駆動部３１は例えば基枠１（横杆１２）の外周に配置した電動機を採用し、伝達部３２は、例えば前記電動機の駆動軸と筒本体２１のガイド部２３に巻回した伝達ベルトを採用する。
【００２２】
袋支持部４は、筒本体２１の下縁から後述するフレコンＢの切断位置を確保するに必要な下方位置に設けたもので、支柱１１から基枠中心に向けて支持腕部４１を突設すると共に、支持腕部４１の交差部分の上面に、回転自在とした受板４２を設けて形成したものである。
【００２３】
切断機構部５は、筒本体２１の下縁より下方位置に設けた横杆１２に形成した基台５１上に、切断刃体５２を備えた既存電動工具５３を、基枠１の中心方向に対して進退可能に設けたもので、特に切断刃体５２の進退位置が、筒本体２１の下縁と受板４２の上方の間となるように配置する。
【００２４】
排出部６は、フレコンＢ内の内容物Ａを装置外（基枠１外）に排出するためのもので、実施形態ではシューターを示したが、コンベアのような機械排出機構を採用しても良い。
【００２５】
而して上記の装置によるフレコン破袋作業は、内容物（例えば除染土）Ａを収納したフレコンＢから内容物Ａを取り出すために行うもので、内容物Ａを収納したフレコンＢをクレーンＣで吊下げて筒本体２１内に収納する。
【００２６】
フレコンＢは、内容物の自重で筒本体２１の内周面に密着すると共に、下方部分が筒本体２１の下方開口箇所から突出し、その中心が受板４２上に載置する（図４ロ）。
【００２７】
そこで回転駆動部３を動作させると筒体２の全体が、基枠内１に抱持された状態で回転し、同時に切断機構部５を作動させて、切断刃体５２を基枠中心方向に進出させる。切断刃体５２がフレコンＢの周面に食い込むことで当該周面が切断される。
【００２８】
特にフレコンＢの周面が非円形や凹凸状態であったとしても、フレコンＢ自体が回転しているので確実に周面が切断され、全周を切断しなくともに、内容物Ａの自重で支持腕部４１の間から排出部６上に落下し、排出部（スライダー）６によって装置外に排出される。
【００２９】
内容物Ａを排出した切断フレコンＢ１は、クレーンＣで筒本体２１内から引き上げられ装置外に搬出し、次の破袋対象のフレコンＢの吊り上げ準備に掛かり、次の破袋作業を開始するものである。
【符号の説明】
【００３０】
１      基枠
１１    支柱
１２    横杆
１３    載置リング板
１４    支持ローラ
１５    保持ローラ
２      筒体
２１    筒本体
２２    鍔部
２３    ガイド部
３      回転駆動部
３１    駆動部（電動機）
３２    伝達部（伝達ベルト）
４      袋支持部
４１    支持腕部
４２    受板
５      切断機構部
５１    基台
５２    切断刃体
５３    電動工具
６      排出部
Ａ      内容物
Ｂ，Ｂ１      フレコン
Ｃ      クレーン
【図１】
2019059540.tif 000003
【図２】
2019059540.tif 000004
【図３】
2019059540.tif 000005
【図４】
2019059540.tif 000006
【図５】
2019059540.tif 000007